(57)【要約】  【課題】各照明器具間においても光出力に含まれる送信信号を受信端末で受信可能にする。  【解決手段】放電灯ＤＬと、送信情報に対応する送信信号を放電灯ＤＬの光出力に含める放電灯点灯装置１とにより構成される照明器具Ａを複数備えるとともに、放電灯ＤＬの光出力に含まれる送信信号を受信する受信端末を備えた。各照明器具Ａは、放電灯ＤＬの光出力に含まれる送信信号を受信する受信部１３を備え、受信部１３で受信された送信信号と放電灯ＤＬの光出力に含めた送信信号とから双方の一致、不一致の判別を行い、判別結果が不一致である場合、他の照明器具と異なる所定時間の経過後に、放電灯点灯装置１により、同じ送信情報に対応する送信信号を放電灯ＤＬの光出力に再度含める。【選択図】図１
2005176257.tif 000002
【特許請求の範囲】
【請求項１】
光源と、送信情報に対応する送信信号を前記光源の光出力に含める点灯装置とにより構成される器具を複数備えるとともに、前記光源の光出力に含まれる送信信号を受信する受信端末を備える光伝送システムであって、
前記複数の器具の各々は、自己の光源の光出力に含まれる送信信号を受信する受信部を備え、この受信部で受信された送信信号と自己の光源の光出力に含めた送信信号とから双方の一致、不一致の判別を行い、この判別結果が不一致である場合には、他の器具と異なる所定時間の経過後に、自己の点灯装置により、同じ送信情報に対応する送信信号を自己の光源の光出力に再度含めることを特徴とする光伝送システム。
【請求項２】
前記器具は、前記光源および前記点灯装置をそれぞれ放電灯および放電灯点灯装置として備える照明器具であり、
前記放電灯点灯装置は、制御信号に従ってオン，オフ動作をする少なくとも一つのスイッチ素子と、このスイッチ素子のオン，オフ動作と連動して直流電源からの直流電力を高周波電力に変換し、この高周波電力を前記放電灯に供給する共振回路部と、この共振回路部の共振周波数よりも高い前記放電灯を点灯するための点灯周波数の電流が前記放電灯に流れるように、前記スイッチ素子のオン，オフ動作を制御する信号を、前記制御信号として前記スイッチ素子に出力する一方、送信情報に応じて、前記放電灯の光出力にその送信情報に対応する送信信号を含めるための信号を、前記制御信号として前記スイッチ素子に出力する制御回路部とを備える
ことを特徴とする請求項１記載の光伝送システム。
【請求項３】
前記所定時間は、前記複数の器具の各々に割り付けられる固有アドレスを基に決定されることを特徴とする請求項１または２記載の光伝送システム。
【請求項４】
前記所定時間は、乱数を基に決定されることを特徴とする請求項１または２記載の光伝送システム。
【発明の詳細な説明】
【技術分野】
【０００１】
本発明は、光源と、送信情報に対応する送信信号を光源の光出力に含める点灯装置とにより構成される器具を複数備えるとともに、光源の光出力に含まれる送信信号を受信する受信端末を備える光伝送システムに関するものである。
【背景技術】
【０００２】
この種の従来の光伝送システムとしては、例えば、特許文献１に、照明用蛍光灯の駆動周波数を送信すべきデータのレベルに応じて所定の周波数にすることにより、送信すべきデータを蛍光灯からの光の形態で送信する光によるデータ伝送方式が開示されている。このデータ伝送方式では、ＦＳＫ変調方式が使用されている。
【０００３】
特許文献２には、放電灯を送信信号に応じて変調された所定の周波数で点灯すると共にこの放電灯からの光を受光して復調する情報伝送装置が開示されている。この情報伝送装置の送信部分は、制御回路が信号源から送出された送信信号により発振回路による発振周波数に変調をかけ、ハーフブリッジ回路のスイッチング素子をその変調のかかった周波数で駆動するようになっている。受信部分は、フォトダイオードで送信側から送られる信号を受信し、復調回路で、送出された信号の形式に復調するようになっている。また、特許文献２には、ガラス管の内面及び／又は外面の一部に赤外線発光膜又は赤外線透過膜を設けた放電灯が記載されており、赤外線を利用した伝送を可能にしている。
【０００４】
ところで、ある一定の周波数に限らず、周波数を変更することにより調光を実現している放電灯点灯装置では、特許文献２に記載されているように、インバータの発振周波数帯域は、リモコンから送出される制御信号の周波数帯域（３３ＫＨＺ〜４０ＫＨＺ）とは離れた帯域に設定される。これは、リモコンの発振（送信）側に分光感度が８５０ｎｍ〜１０３０ｎｍのガリウムひ素（ＧａＡｓ）発光ダイオードが用いられ、受光（受信）側に分光感度が６００ｎｍ〜１２００ｎｍのシリコンフォトダイオードが用いられており、これに対して、例えば水銀及び希ガスが封入された蛍光灯などの放電灯からはインバータ点灯回路の発振周波数で変調された１０１４ｎｍ，１１２９ｎｍを主成分とする水銀輝線が放射されており、インバータ点灯回路による放電灯の点灯によってリモコンが誤動作を起こすためである。
【０００５】
また、蛍光灯などを負荷とする放電灯点灯装置は、通常、点灯始動時に回路に大きな電流が流れ部品に大きなストレスが加わるのを防止するため、ＬＣ共振周波数よりも高い周波数で動作するように構成される。
【０００６】
なお、特許文献３には、マンチェスター符号を応用して、放電灯を点灯するための周波数と送信情報を伝送するための周波数との発生する確率を、送信情報によらずに常に一定にする制御方法が記載されている。
【特許文献１】特開昭６０−３２４４３号公報
【特許文献２】特開平６−２０７８５号公報
【特許文献３】特表２００２−５１１７２７号公報
【発明の開示】
【発明が解決しようとする課題】
【０００７】
しかしながら、上記従来の技術では、複数の照明器具を配置して、各照明器具に光伝送機能を持たせる場合に、情報を受信することができない状況が発生する可能性があり、各照明器具からシームレスに情報を取得することが難しいという問題がある。
【０００８】
例えば、図１１に示すように、照明器具Ａが複数配置され、同じ休止期間Ｔｓ（例えば１ｓ）、同じ送信期間Ｔ（例えば１０ｍｓ）、同じ周波数で光出力に所定ビット（例えば１２ビット）の送信情報を含めて所定の伝送速度（例えば１２００ｂｐｓ）で送信する場合、照明器具Ａからの情報を受信する受信端末２を携帯する人が、互いに隣接する照明器具（図ではＡ１，Ａ２）間に来たとき、両方の照明器具Ａ１，Ａ２からの情報が衝突することにより、受信端末２でいずれの照明器具からの情報も受信することができなくなる。
【０００９】
この問題は、光伝送機能を持つ照明器具を間引いて通常の照明器具に変更することにより解決することができる。例えば、図１１において、光伝送機能を持つ照明器具Ａ２，Ａ４を間引き、それら照明器具Ａ２，Ａ４に代えて光伝送機能を持たない通常の照明器具に変更すればよい。しかし、この場合、照明器具Ａ１，Ａ３の伝送範囲外となる照明器具Ａ１，Ａ３間などの場所では、照明器具Ａからの情報を受信端末２で受信することができない。
【００１０】
このように、各照明器具からシームレスに情報を取得することができなければ、各種アプリケーションに応じて、利便性向上、安全安心、業務効率化、省力化などを達成することに支障がある。
【００１１】
具体的には、光伝送システムを視覚障害者向け自立支援システムに応用する場合、図１２に示すように、建物内や地下街などにおいて、受信端末２を携帯する人が各照明器具Ａの伝送範囲外にあった場合、照明器具Ａからの情報（例えば位置情報）を受信端末２で受信することができず、例えば位置情報に対応する現在位置情報を音声を通して得ることができないので、どのように行動すればよいかの判断の手がかりを得ることができない。例えば、図１３に示すように、男性トイレおよび女性トイレのいずれの情報も取得することができない。
【００１２】
本発明は、上記事情に鑑みてなされたものであり、各照明器具間においても光出力に含まれる送信信号を受信端末で受信することができる光伝送システムを提供することを目的とする。
【課題を解決するための手段】
【００１３】
上記課題を解決するための請求項１記載の発明は、光源と、送信情報に対応する送信信号を前記光源の光出力に含める点灯装置とにより構成される器具を複数備えるとともに、前記光源の光出力に含まれる送信信号を受信する受信端末を備える光伝送システムであって、前記複数の器具の各々は、自己の光源の光出力に含まれる送信信号を受信する受信部を備え、この受信部で受信された送信信号と自己の光源の光出力に含めた送信信号とから双方の一致、不一致の判別を行い、この判別結果が不一致である場合には、他の器具と異なる所定時間の経過後に、自己の点灯装置により、同じ送信情報に対応する送信信号を自己の光源の光出力に再度含めることを特徴とする。
【００１４】
この構成では、ある器具の送信信号を含む光出力と他の器具の送信信号を含む光出力とが同じ時間になった場合に、それらの器具が隣接していれば、受信端末は、いずれの器具からも光出力に含まれる送信信号を受信することができなくなる場合が生じうるが、それらの各器具が、他の器具と異なる所定時間の経過後に、同じ送信情報に対応する送信信号を光出力に含めるので、各照明器具間においても光出力に含まれる送信信号を受信端末で受信することができる。
【００１５】
請求項２記載の発明は、請求項１記載の光伝送システムにおいて、前記器具は、前記光源および前記点灯装置をそれぞれ放電灯および放電灯点灯装置として備える照明器具であり、前記放電灯点灯装置は、制御信号に従ってオン，オフ動作をする少なくとも一つのスイッチ素子と、このスイッチ素子のオン，オフ動作と連動して直流電源からの直流電力を高周波電力に変換し、この高周波電力を前記放電灯に供給する共振回路部と、この共振回路部の共振周波数よりも高い前記放電灯を点灯するための点灯周波数の電流が前記放電灯に流れるように、前記スイッチ素子のオン，オフ動作を制御する信号を、前記制御信号として前記スイッチ素子に出力する一方、送信情報に応じて、前記放電灯の光出力にその送信情報に対応する送信信号を含めるための信号を、前記制御信号として前記スイッチ素子に出力する制御回路部とを備えることを特徴とする。この構成では、照明器具を利用して所望の送信情報を受信端末に送信することができる。
【００１６】
請求項３記載の発明は、請求項１または２記載の光伝送システムにおいて、前記所定時間は、前記複数の器具の各々に割り付けられる固有アドレスを基に決定されることを特徴とする。この構成では、所定時間を各器具間で異なるものにすることができる。
【００１７】
請求項４記載の発明は、請求項１または２記載の光伝送システムにおいて、前記所定時間は、乱数を基に決定されることを特徴とする。この構成では、所定時間を各器具間で異なるものにすることができる。
【発明の効果】
【００１８】
本発明によれば、各照明器具間においても光出力に含まれる送信信号を受信端末で受信することができる。
【発明を実施するための最良の形態】
【００１９】
（実施形態１）
図１は光伝送システムの照明器具の構成図、図２は同光伝送システムの受信端末の構成図、図３は同照明器具の一具体例を示す図、図４，５は同照明器具の動作説明図、図６は光出力とランプ電流との関係を示す図、図７，図８は同光伝送システムの動作説明図である。
【００２０】
実施形態１の光伝送システムは、図１，図２に示すように、直流電源ＤＣと、例えば蛍光灯などの放電灯ＤＬと、直流電源ＤＣに接続され放電灯ＤＬが装着される放電灯点灯装置１とにより構成される照明器具Ａを複数備えるとともに、受信端末２を備え、放電灯点灯装置１により、直流電源ＤＣからの電力を使用して放電灯ＤＬを点灯するとともに、放電灯ＤＬの光を利用して光通信で所望の送信情報を受信端末２に送信するものである。
【００２１】
直流電源ＤＣは、例えば図３に示すように、交流電源ＡＣからの交流電力を整流器ＤＢおよび平滑コンデンサＣ０などにより整流および平滑などして、直流電力に変換するものである。なお、図３の構成に限らず、入力電流歪みを改善するために、交流電源からの交流電力を直流電力に変換して平滑コンデンサに出力する昇圧型チョッパでもよく、あるいは電池であってもよい。また、直流電源ＤＣは、放電灯点灯装置１に含まれる構成でも構わない。
【００２２】
図１に示す放電灯点灯装置１は、放電灯ＤＬの予熱、始動および点灯をするとともに、光通信で所望の送信情報を送信するものであり、インバータ１１と、制御回路部１２と、受信部１３とを備えている。なお、受信部１３は、放電灯ＤＬの光出力に含まれる送信信号を受信するものであり、受信端末２の受光モジュール（図２のＢ参照）と同様に構成されるので、受信部１３については、受信端末２の受光モジュールとともに説明する。
【００２３】
インバータ１１は、制御回路部１２からの制御信号に従ってオン，オフ動作をする少なくとも一つのスイッチ素子ＳＷ１１と、このスイッチ素子ＳＷ１１のオン，オフ動作と連動して直流電源ＤＣからの直流電力を高周波電力に変換し、この高周波電力を放電灯ＤＬに供給する共振回路部１１０とにより構成される。
【００２４】
一具体例としては、図３に示すように、スイッチ素子ＳＷ１１として、直流電源ＤＣの出力端間に直列に接続されるスイッチ素子Ｑ１，Ｑ２（図では逆並列接続のダイオードを持つＭＯＳ型ＦＥＴ）を備え、共振回路部１１０として、スイッチ素子Ｑ２の両端間に直列に接続されるチョークコイルＬ１およびコンデンサＣ１を備える構成を挙げることができる。図では、放電灯ＤＬは、コンデンサＣ１と並列に接続されるかたちで、各フィラメントがチョークコイルＬ１およびコンデンサＣ１のＬＣ直列共振回路上に直列に介設されている。Ｃ１１は、放電灯ＤＬの電流から直流成分を除去するための直流カット用のコンデンサであり、コンデンサＣ１よりも大きい（例えば１０倍以上）容量に設定される。そして、スイッチ素子Ｑ１，Ｑ２は、制御回路部１２からの制御信号によって交互にオン，オフされる。なお、図３の例に限らず、他のハーフブリッジ回路構成でも、一石式やフルブリッジ回路構成でもよく、上記昇圧型チョッパと一部回路を兼用する構成でもよい。
【００２５】
図１に示す制御回路部１２は、放電灯ＤＬの予熱、始動および点灯の制御を実行するほか、光通信で所望の送信情報を送信する制御を実行するものであり、送信源１２０と、発振回路部１２１と、制御回路本体部１２２とを備えている。
【００２６】
送信源１２０は、上記送信情報を出力するものであり、例えばＲＯＭなどの記憶装置により構成される。なお、同一の送信情報を繰り返し出力する構成の場合には、例えばディップスイッチなどでもよい。
【００２７】
発振回路部１２１は、発振信号を生成して上記制御信号としてスイッチ素子ＳＷ１１に出力するものであり、予熱、始動および点灯用の周波数の制御信号を出力するほか、制御回路本体部１２２の周波数変調により通信用の周波数の制御信号を出力する。例えば、図４，図５に示すように、共振回路部１１０の共振周波数ｆ0 よりも高い周波数であって放電灯ＤＬの予熱、始動および点灯をするための周波数の電力が放電灯ＤＬに供給されるように、スイッチ素子ＳＷ１１のオン，オフ動作を制御する信号が、制御信号としてスイッチ素子ＳＷ１１に出力される。つまり、予熱時には、共振周波数ｆ0 よりも高い放電灯ＤＬの予熱をするための周波数（後述の点灯周波数ｆL よりも高い周波数）の電圧が放電灯ＤＬに印加するように、スイッチ素子ＳＷ１１のオン，オフ動作を制御する信号が、予熱制御信号としてスイッチ素子ＳＷ１１に出力される。図５の例では、電源オンの後、スイッチ素子ＳＷ１１は、予熱制御信号の時間とともに変化する発振周波数により、オン，オフされている。始動時には、共振周波数ｆ0 よりも高い放電灯ＤＬを始動するための周波数の高電圧が放電灯ＤＬに印加するように、スイッチ素子ＳＷ１１のオン，オフ動作を制御する信号が、始動制御信号としてスイッチ素子ＳＷ１１に出力される。点灯時には、共振周波数ｆ0 よりも高い放電灯ＤＬを点灯するための所定の点灯周波数ｆL の電流が放電灯ＤＬに流れるように、スイッチ素子ＳＷ１１のオン，オフ動作を制御する信号が、点灯制御信号としてスイッチ素子ＳＷ１１に出力される。なお、図１の例では、予熱、始動および点灯用の周波数の切替えは、従来と同様に発振回路部１２１自体により行われる構成になっているが、これに限らず、制御回路本体部１２２により行われる構成でもよい。また、点灯は全（定格点灯）点灯に限らず、図５に示すように、調光点灯を含む調光機能を備える構成でもよい。図４のｆL'は調光機能を備える場合の上限値を示す。
【００２８】
図１に示す制御回路本体部１２２は、例えばマイコンなどにより構成され、送信回路部１２２ａ、周波数変調回路部１２２ｂ、比較部１２２ｃおよび時間設定部１２２ｄなどを備え、送信回路部１２２ａおよび周波数変調回路部１２２ｂにより周波数変調制御を実行するほか、比較部１２２ｃおよび時間設定部１２２ｄにより周波数変調回路部１２２ｂを通して再送制御を実行するものである。
【００２９】
周波数変調制御時には、制御回路本体部１２２は、送信回路部１２２ａを介して得られる送信源１２０からの送信情報に応じて、周波数変調回路部１２２ｂで発振回路部１２１を周波数変調することにより、送信情報に対応する送信信号を放電灯ＤＬの光出力に含めるための信号を、制御信号としてスイッチ素子ＳＷ１１に出力する制御を行う。
【００３０】
例えば、所定ビットの送信情報をビット毎に順次送信する場合、その内容が“１”であるとき、“１”に対応する送信回路部１２２ａからの“Ｈｉｇｈ”に応じて、所定時間、点灯周波数ｆL よりも高い周波数ｆR に切り替わり、“０”であるとき、“０”に対応する送信回路部１２２ａからの“Ｌｏｗ”に応じて、所定時間、点灯周波数ｆL に切り替わるように、制御信号が出力される（図４参照）。なお、所定時間は同じでも同じでなくてもよいが、“１”用の所定時間を“０”用の所定時間よりも短くすることが望ましい。また、“１”，“０”と“Ｈｉｇｈ”，“Ｌｏｗ”との関係は逆でもよく、“Ｈｉｇｈ”，“Ｌｏｗ”と各周波数との関係は逆でもよい。
【００３１】
再送制御時には、制御回路本体部１２２は、比較部１２２ｃにより、受信部１３で受信された送信信号と自己の放電灯ＤＬの光出力に含めた送信信号とから双方の一致、不一致の判別を行い、この判別結果が不一致である場合には、時間設定部１２２ｄで設定される他の照明器具Ａと異なる所定時間の経過後に、自己の放電灯点灯装置１のインバータ１１により、同じ送信情報に対応する送信信号を自己の放電灯ＤＬの光出力に再度含めるように、周波数変調回路部１２２ｂに対して同じ送信情報に応じた周波数変調制御を実行させる制御を行う。なお、受信部１３で受信された送信信号と自己の放電灯ＤＬの光出力に含めた送信信号との比較は、送信信号レベルでの比較に限らず、例えば、受信部１３で受信された送信信号から得られる送信情報と自己の放電灯ＤＬの光出力に含めた送信信号の基になった送信情報との比較でもよい。
【００３２】
受信端末２は、送信情報に応じた制御回路部１２の制御により放電灯ＤＬの光出力に含まれる送信情報を受信するためのものであり、図２に示すように、受光回路部２１および復調回路部２２により構成される受光モジュールＢなどを備えている。なお、２３は、復調回路部２２からの信号を伝送する伝送回路部であり、２４は、その伝送回路部２３により伝送された信号から得られる送信情報を基に、所定の処理を実行する各種機器である。受信端末２の具体例としては、ＰＤＡ、携帯電話、デジカメなどを挙げることができ、視覚障害者向け自立支援システムに応用する場合には、建物や地下街などの地図データベースや、音声合成部などがさらに設けられる。
【００３３】
受光回路部２１は、放電灯ＤＬからの光を受光して入力信号を得るものであり、例えば、放電灯ＤＬからの光を電気信号に変換するフォトダイオードおよびこの出力電流を電圧に変換する電流電圧変換器などによりなる光電変換部２１１と、この光電変換部２１１で得られた電圧信号を増幅して上記入力信号を得る増幅回路部２１２とにより構成される。
【００３４】
復調回路部２２は、受光回路部２１で得られた入力信号を復調してそれに含まれる送信情報を得るためのものであり、フィルタ回路部２２１と、復調回路出力部２２２とを備えている。
【００３５】
フィルタ回路部２２１は、受光回路部２１で得られた入力信号から、周波数ｆR に対応する周波数の成分を含む信号を抽出するものである、ここで、放電灯ＤＬの光出力とランプ電流との関係は図６に示すようになるので、フィルタ回路部２２１は、周波数ｆR の２倍の周波数を中心周波数とするバンドパスフィルタにより構成される。つまり、フィルタ回路部２２１は、受光回路部２１で受光された光の周波数が周波数ｆR に対応する周波数である場合に“Ｈｉｇｈ”となり、それ以外の場合ではバンドパスフィルタの通過帯域外の周波数となって“Ｌｏｗ”となるように構成される。
【００３６】
図２に示す復調回路出力部２２２は、フィルタ回路部２２１の出力に応じて、送信情報を得るための信号（送信情報に対応する信号）を出力するものであり、例えばコンパレータにより構成される。復調回路出力部２２２の出力は、受光回路部２１で受光された光の周波数が周波数ｆR に対応する周波数（２×ｆR1）である場合には“Ｈｉｇｈ”となり、そうでなければ“Ｌｏｗ”となる。
【００３７】
次に実施形態１の光伝送システムの動作について説明する。放電灯点灯装置１が直流電源ＤＣに接続されると、制御回路部１２からインバータ１１に予熱制御信号が出力され、放電灯ＤＬの予熱が行われる。この後、始動制御信号が出力され、放電灯ＤＬに高電圧が印加する。これにより、放電灯ＤＬが始動すると、制御回路部１２からインバータ１１に点灯制御信号が出力され、放電灯ＤＬが所定の点灯周波数ｆL に対応するランプ電流で点灯する。
【００３８】
この後、送信回路部１２２ａを介して送信源１２０から送信情報が出力され、制御回路本体部１２２が、送信情報に応じて、点灯周波数ｆL 用の制御信号を出力している発振回路部１２１を変調することにより、周波数ｆR と点灯周波数ｆL とに切り替わる電流が放電灯ＤＬに流れるように、スイッチ素子ＳＷ１１のオン，オフ動作を制御する信号が発振回路部１２１から出力される。これにより、放電灯ＤＬから送信信号を含む光が照射される。
【００３９】
この光は、放電灯点灯装置１の受信部１３および受信端末２で受光される。各受光モジュールにおいて、受光回路部で入力信号が得られ、復調回路部で、その入力信号から、周波数ｆR に対応する周波数の成分を含む信号が抽出され、送信信号が出力される。
【００４０】
そして、放電灯点灯装置１では、受信部１３で受信された送信信号と自己の放電灯ＤＬの光出力に含めた送信信号とから双方の一致、不一致の判別が行われ、判別結果が一致である場合には本来の処理に戻り、その処理が実行される。また、この場合、受信端末２では、復調回路部２１から伝送回路部２３に送信情報に対応する信号が出力され、その信号から得られる送信情報を基に、各種機器２５により所定の処理が実行される。
【００４１】
これに対して、図７，図８に示すような状況下などで、判別結果が不一致となった場合には、判別結果が不一致となった各照明器具Ａ（図７，図８では照明器具Ａ１，Ａ２）により、他の照明器具Ａと異なる所定時間の経過後に、同じ送信情報に応じた周波数変調制御が行われる。これにより、放電灯ＤＬから同じ送信信号を含む光が照射される。また、この場合、受信端末２では、送信情報を受信することができないが、同じ送信情報が他の照明器具Ａと異なる所定時間の経過後に送信されるので、受光モジュールを通してその送信情報を受信することができ、その送信情報を基に、各種機器２５により所定の処理が実行される。
【００４２】
ここで、図７において、Ｔは送信期間（例えば１０ｍｓ）であり、この期間Ｔ内に所定ビット（例えば１２ビット）の送信情報が所定の伝送速度（例えば１２００ｂｐｓ）で送信される。Ｔ１，Ｔ２は、それぞれ照明器具Ａ１，Ａ２間で互いに異なるように設定された上記所定時間である。Ｔｓは休止期間（例えば１ｓ）である。また、「×」は送信情報の送信の失敗を示し、「○」は送信情報の送信の成功を示す。このような設定において、例えば、各照明器具Ａが送信情報として自己の位置を示す位置情報を送信し、受信端末２が各照明器具Ａからの位置情報を基に現在位置を示す機能を持つ携帯式のものであれば、各照明器具Ａが上記再送制御により送信情報の送信に成功した後は、それぞれが同じ休止期間Ｔｓで送信情報を繰り返し送信することにより、再送制御後は、送信情報の送信に失敗しなくなる。また、受信端末２を携帯する人が、ある照明器具間に入っても、両照明器具から情報を取得することができるので、適宜どちらかに移動すれば、その人が望む場所の照明器具のみから情報を取得することができる。
【００４３】
以上、実施形態１によれば、ある照明器具Ａの送信信号を含む光出力と他の照明器具Ａの送信信号を含む光出力とが同じ時間になった場合に、それらの照明器具が隣接していれば、受信端末２は、いずれの照明器具Ａからも光出力に含まれる送信信号を受信することができなくなる場合が生じうるが、それらの各照明器具Ａが、他の照明器具Ａと異なる所定時間の経過後に、同じ送信情報に対応する送信信号を光出力に含めるので、各照明器具間においても光出力に含まれる送信信号を受信端末２で受信することができる。
【００４４】
なお、送信情報は、アドレス情報や緯度、経度、高度情報などの位置情報に限らず、例えば、広告、危険連絡、施設案内などの音声情報や、調光情報などの様々な情報であってもよいことは言うまでもない。
【００４５】
（実施形態２）
実施形態２の光伝送システムは、実施形態１と同様に構成され、複数の照明器具Ａの各々に割り付けられる固有アドレスを基に、時間設定部１２２ｄで所定時間を決定することを特徴とする。
【００４６】
実施形態２では、伝送データ量および伝送速度を考慮して所定時間を決定する。すなわち、固有アドレスに数値を使用し、固有アドレス×ｔ［ｍｓ］の計算結果を所定時間とする。そして、ｔを伝送データ量および伝送速度を基に決定する。このような設定では、例えば図７（ａ）において、照明器具Ａ１，Ａ２の固有アドレスがそれぞれ“１”，“２”であったとき、Ｔ１，Ｔ２は、それぞれ１×ｔ（例えば２０ｍｓ），２×ｔとなる。
【００４７】
以上、実施形態２によれば、実施形態１と同様の効果を奏することができるほか、所定時間を各照明器具Ａ間で異なるものにすることができる。
【００４８】
（実施形態３）
図９は光伝送システムの動作説明図である。
【００４９】
実施形態３の光伝送システムは、実施形態２との相違点として、時間設定部１２２ｄで乱数を発生させ、その乱数を基に、所定時間を決定することを特徴とする。実施形態３でも、伝送データ量および伝送速度を考慮して所定時間が決定される。すなわち、乱数×ｔ［ｍｓ］の計算結果が所定時間に設定される。
【００５０】
ここで、図９の例では、照明器具Ａ１，Ａ２，Ａ３が、送信情報の送信に失敗したことを受けて、それぞれ所定時間Ｔ１，Ｔ２，Ｔ３の経過後に、送信情報を送信することにより、送信情報の送信に成功している。またその後、各照明器具Ａが同じ休止期間Ｔｓで送信情報を繰り返し送信することにより、再送制御以降の送信情報の送信に失敗しなくなっている。
【００５１】
以上、実施形態３によれば、実施形態３と同様の効果を奏することができる。
【００５２】
（実施形態４）
図１０は光伝送システムの動作説明図である。
【００５３】
実施形態４の光伝送システムは、図１０に示すように、制御回路本体部１２２が受信部１３を介してデータ送信前にキャリアセンスを実行し、他の照明器具Ａが送信信号を送信しているとき、送信を停止し、他の照明器具Ａが送信信号を送信し終えた後、送信信号の送信を開始することを特徴とする。この構成では、データ送信の効率性、信頼性を高めることができる。
【００５４】
なお、上記各実施形態では、光源は放電灯であったが、本発明の光源は、放電灯に限らず、例えばＬＥＤでもよい。
【図面の簡単な説明】
【００５５】
【図１】光伝送システムの照明器具の構成図である（実施形態１）。
【図２】同光伝送システムの受信端末の構成図である。
【図３】同照明器具の一具体例を示す図である。
【図４】同照明器具の動作説明図である。
【図５】同照明器具の動作説明図である。
【図６】光出力とランプ電流との関係を示す図である。
【図７】同光伝送システムの動作説明図である。
【図８】同光伝送システムの動作説明図である。
【図９】光伝送システムの動作説明図である（実施形態３）。
【図１０】光伝送システムの動作説明図である（実施形態４）。
【図１１】従来技術の課題の説明図である。
【図１２】従来技術の課題の説明図である。
【図１３】従来技術の課題の説明図である。
【符号の説明】
【００５６】
Ａ  照明器具
１  放電灯点灯装置
１１  インバータ
１２  制御回路部
１２０  送信源
１２１  発振回路部
１２２  制御回路本体部
１２２ａ  送信回路部
１２２ｂ  周波数変調回路部
１２２ｃ  比較部
１２２ｄ  時間設定部
２  受信端末
２１  受光回路部
２１１  光電変換部
２１２  増幅回路部
２２  復調回路部
２２１  フィルタ回路部
２２２  復調回路部
２３  伝送回路部
２４  各種機器
【図１】
2005176257.tif 000003
【図２】
2005176257.tif 000004
【図３】
2005176257.tif 000005
【図４】
2005176257.tif 000006
【図５】
2005176257.tif 000007
【図６】
2005176257.tif 000008
【図７】
2005176257.tif 000009
【図８】
2005176257.tif 000010
【図９】
2005176257.tif 000011
【図１０】
2005176257.tif 000012
【図１１】
2005176257.tif 000013
【図１２】
2005176257.tif 000014
【図１３】
2005176257.tif 000015